(57)【要約】【課題】リモコン、手すり、カウンタ及び紙巻器などを使いやすい位置に簡単に設置することができるリモコンユニットを提供することを目的とする。【解決手段】フレームと、フレームの少なくとも一部を覆うパネルと、パネルに設けられトイレ装置を操作可能なリモコンと、少なくとも一部がパネルに設けられた手すりと、パネルの下方に設けられたカウンタと、カウンタの下方に設けられた紙巻器と、を有する本体部と、トイレルームの壁面に固定され、フレームを介して本体部を支持する固定部材と、を備え、手すりは、トイレ装置に着座した使用者が立ち上がるときに把持可能な把持部を有し、把持部は、トイレ装置の側方から見たときに、把持部とトイレ装置との間の水平方向に沿った距離が上方から下方へ向かって短くなるように傾斜したことを特徴とするリモコンユニットが提供される。【選択図】図１
2018071141.tif 000002
【特許請求の範囲】
【請求項１】
フレームと、
前記フレームの少なくとも一部を覆うパネルと、
前記パネルに設けられ、トイレ装置を操作可能なリモコンと、
少なくとも一部が前記パネルに設けられた手すりと、
前記パネルの下方に設けられたカウンタと、
前記カウンタの下方に設けられた紙巻器と、
を有する本体部と、
トイレルームの壁面に固定され、前記フレームを介して前記本体部を支持する固定部材と、
を備え、
前記手すりは、前記トイレ装置に着座した使用者が立ち上がるときに把持可能な把持部を有し、
前記把持部は、前記トイレ装置の側方から見たときに、前記把持部と前記トイレ装置との間の水平方向に沿った距離が上方から下方へ向かって短くなるように傾斜したことを特徴とするリモコンユニット。
【請求項２】
前記把持部は、前記トイレ装置の前方から見たときに、前記把持部と前記トイレ装置との間の水平方向に沿った距離が上方から下方へ向かって長くなるように傾斜したことを特徴とする請求項１記載のリモコンユニット。
【請求項３】
前記パネルは、前記トイレ装置の側方から見たときに、前記フレームの外周より外側に延出することを特徴とする請求項１または２のいずれか１つに記載のリモコンユニット。
【請求項４】
前記手すりの両端部は、前記パネルに設けられたことを特徴とする請求項１〜３のいずれか１つに記載のリモコンユニット。
【請求項５】
前記把持部は、曲線状であることを特徴とする請求項１〜４のいずれか１つに記載のリモコンユニット。
【請求項６】
前記手すりは、前記パネルと接続される接続部を有し、
前記接続部のうち前記パネルと接する部分の少なくとも一部が露出していることを特徴とする請求項１〜５のいずれか１つに記載のリモコンユニット。
【請求項７】
前記パネルは、開口を有し、
前記リモコンは、前記開口に挿入され、
前記リモコンの前記パネルと接する側面はテーパ形状を有することを特徴とする請求項１〜６のいずれか１つに記載のリモコンユニット。
【発明の詳細な説明】
【技術分野】
【０００１】
本発明の態様は、一般的に、リモコンユニットに関する。
【背景技術】
【０００２】
洋式腰掛大便器を有するトイレ装置が設置されたトイレルームの壁面には、トイレ装置を操作するためのリモコンや、トイレ装置に着座した使用者の立ち上がり動作をサポートする手すり、トイレットペーパーを保持する紙巻器など、複数の部材が設置される。例えば、特許文献１では、手すり、カウンタ、紙巻器などがトイレルームの壁面に設置されている。
【０００３】
しかし、これらの複数の部材を、別々にトイレルームの壁面に設置する場合は、非常に手間がかかる。そこで、リモコンや紙巻器などを一体化する方法が提案されている。リモコンや紙巻器などを一体化して、１つのリモコンユニットとし、このユニットを壁面に取り付けることで、施工の手間を軽減できる。例えば、特許文献２では、リモコンとペーパホルダとを一体化することが開示されている。また、特許文献３では、紙巻器、グリップ、リモコンなどをセット化することが記載されている。
【０００４】
一方、リモコン、手すり、紙巻器及びカウンタなどには、それぞれ、使用者の使い勝手の観点から適切な位置や形状がある。しかし、壁面に設置される部材の数が多い場合などでは、各部材が誤った位置に取り付けられてしまうおそれがある。例えば、手すりは誤った位置に取り付けられると、その機能を十分に発揮することができない。
【先行技術文献】
【特許文献】
【０００５】
【特許文献１】特開２０１２−１６１５９９号公報
【特許文献２】特開２００１−０５４４８５号公報
【特許文献３】特開２０００−２９６０７９号公報
【発明の概要】
【発明が解決しようとする課題】
【０００６】
リモコン及び紙巻器などを一体化する従来技術においては、各部材を使いやすい位置に簡単に取り付けることに関して改善の余地がある。特に、リモコン、手すり、紙巻器及びカウンタなどの多数の部材を一体化する場合に、それぞれの部材を使いやすい位置に簡単に設置することは従来技術において困難である。
【０００７】
本発明は、かかる課題の認識に基づいてなされたものであり、リモコン、手すり、カウンタ及び紙巻器などを使いやすい位置に簡単に設置することができるリモコンユニットを提供することを目的とする。
【課題を解決するための手段】
【０００８】
第１の発明は、フレームと、前記フレームの少なくとも一部を覆うパネルと、前記パネルに設けられ、トイレ装置を操作可能なリモコンと、少なくとも一部が前記パネルに設けられた手すりと、前記パネルの下方に設けられたカウンタと、前記カウンタの下方に設けられた紙巻器と、を有する本体部と、トイレルームの壁面に固定され、前記フレームを介して前記本体部を支持する固定部材と、を備え、前記手すりは、前記トイレ装置に着座した使用者が立ち上がるときに把持可能な把持部を有し、前記把持部は、前記トイレ装置の側方から見たときに、前記把持部と前記トイレ装置との間の水平方向に沿った距離が上方から下方へ向かって短くなるように傾斜したことを特徴とするリモコンユニットである。
【０００９】
このリモコンユニットによれば、現場の施工者は、固定部材を壁面に固定すれば、本体部を固定部材に取り付けるだけで、手すり、リモコン、紙巻器及びカウンタを、使いやすい位置に簡単に設置することができる。
【００１０】
第２の発明は、第１の発明において、前記把持部は、前記トイレ装置の前方から見たときに、前記把持部と前記トイレ装置との間の水平方向に沿った距離が上方から下方へ向かって長くなるように傾斜したことを特徴とするリモコンユニットである。
【００１１】
このリモコンユニットによれば、把持部は、トイレ装置の側方から見たときに傾斜しており、かつ、前方から見たときに傾斜している。これにより、着座した使用者が、無理なく握れる範囲を広くすることができる。使用者は、立ち上がり動作の始めから最後まで、体重を手すりにかけ続けることができる。
【００１２】
第３の発明は、第１または第２の発明において、前記パネルは、前記トイレ装置の側方から見たときに、前記フレームの外周より外側に延出することを特徴とするリモコンユニットである。
【００１３】
このリモコンユニットによれば、フレームとトイレルームの壁面との接続部分をパネルで隠すことができ、すっきりとした外観を得ることができる。また、壁面に設けられたネジ穴などをパネルで隠すことができる。
【００１４】
第４の発明は、第１〜第３のいずれか１つの発明において、前記手すりの両端部は、前記パネルに設けられたことを特徴とするリモコンユニットである。
【００１５】
このリモコンユニットによれば、手すりの両端がカウンタよりも上方のパネルに設けられているため、手すりの端部がカウンタに設けられた場合に比べて、カウンタを広く使用することができる。また、カウンタ上を清掃しやすい。
【００１６】
第５の発明は、第１〜第４のいずれか１つの発明において、前記把持部は、曲線状であることを特徴とするリモコンユニットである。
【００１７】
このリモコンユニットによれば、使用者は、把持部のうち、より手になじむ部分を掴むことができる。
【００１８】
第６の発明は、第１〜第５のいずれか１つの発明において、前記手すりは、前記パネルと接続される接続部を有し、前記接続部のうち前記パネルと接する部分の少なくとも一部が露出していることを特徴とするリモコンユニットである。
【００１９】
このリモコンユニットによれば、接続部を覆うキャップが設けられていないため、すっきりとした外観を得ることができる。また、凹凸が少なく、清掃性が向上する。
【００２０】
第７の発明は、第１〜第６のいずれか１つの発明において、前記パネルは、開口を有し、前記リモコンは、前記開口に挿入され、前記リモコンの前記パネルと接する側面はテーパ形状を有することを特徴とするリモコンユニットである。
【００２１】
このリモコンユニットによれば、リモコンをパネルの開口に挿入した時に、リモコンとパネルとの間に隙間が生じることを抑制できる。
【発明の効果】
【００２２】
本発明の態様によれば、リモコン、手すり、カウンタ及び紙巻器などを使いやすい位置に簡単に設置することができるリモコンユニットが提供される。
【図面の簡単な説明】
【００２３】
【図１】実施形態に係るリモコンユニットが設けられたトイレルームを表す斜視図である。
【図２】実施形態に係るリモコンユニットを例示する平面図である。
【図３】実施形態に係るリモコンユニットを例示する分解斜視図である。
【図４】実施形態に係るリモコンユニットの固定部材を例示する斜視図である。
【図５】図５（ａ）及び図５（ｂ）は、実施形態に係るリモコンユニットを例示する平面図及び斜視図である。
【図６】図６（ａ）及び図６（ｂ）は、実施形態に係るリモコンユニットの設置方法を例示する平面図である。
【図７】実施形態に係るリモコンユニットが設置されたトイレルームを例示する平面図である。
【図８】実施形態に係るリモコンユニットが設置されたトイレルームを例示する平面図である。
【図９】実施形態に係るリモコンユニットを例示する平面図である。
【図１０】実施形態に係るリモコンユニットを例示する平面図である。
【図１１】図１１（ａ）〜図１１（ｆ）は、実施形態に係るリモコンユニットの手すりの使用状況を例示する斜視図である。
【図１２】図１２（ａ）〜図１２（ｃ）は、実施形態に係るリモコンユニットの一部を例示する平面図である。
【図１３】図１３（ａ）及び図１３（ｂ）は、実施形態に係るリモコンユニットの手すりを例示する平面図である。
【図１４】図１４（ａ）〜図１４（ｄ）は、実施形態に係るリモコンユニットを例示する断面図である。
【図１５】実施形態に係る別のリモコンユニットを例示する平面図である。
【図１６】実施形態に係る別のリモコンユニットを例示する平面図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、実施形態に係るリモコンユニットが設けられたトイレルームを表す斜視図である。  
図２は、実施形態に係るリモコンユニットを例示する平面図である。  
図１に示すように、トイレルームＴＲには、リモコンユニット１００と、トイレ装置２００と、が設けられている。
【００２５】
トイレ装置２００は、便器２０１と、衛生洗浄装置２０２と、を有する。便器２０１は、例えば陶器製の洋式腰掛大便器である。便器２０１は、「床置き式」であり、トイレルームＴＲの床面Ｆ１に固定されている。便器２０１は、トイレ室の壁面Ｆ３に直接的または間接的に固定された「壁掛け式」であってもよい。
【００２６】
衛生洗浄装置２０２は、便器２０１の上に設けられる。衛生洗浄装置２０２は、トイレ装置２００の使用者が座るための便座２０３と、水を噴出して使用者の局部（例えば「おしり」など）を洗浄するため洗浄ノズル（不図示）と、を有する。衛生洗浄装置２０２は、この他に、トイレルームＴＲに入室した使用者を検知するための人体検知センサや、便座２０３への着座を検知する着座検知センサ、便座２０３を温めるための加熱手段などを有していてもよい。
【００２７】
ここで、本願明細書においては、便座２０３に座った使用者からみて上方を「上方」とし、便座２０３に座った使用者からみて下方を「下方」とする。また、便座２０３に座った使用者からみて前方を「前方」とし、後方を「後方」とし、右側を「右側方」とし、左側を「左側方」とする。
【００２８】
実施形態に係るリモコンユニット１００は、トイレルームＴＲの壁面に設けられる。この例では、リモコンユニット１００は、トイレ装置２００に着座した使用者からみて、右側方の壁面（側面）Ｆ２に設けられている。リモコンユニット１００は、トイレ装置２００に着座した使用者からみて、左側方の壁面に設けられてもよい。
【００２９】
図２に示すように、リモコンユニット１００は、パネル１０と、手すり２０と、リモコン４０と、カウンタ（棚板）５０と、紙巻器５２と、を有する。  
パネル１０は、正面からみたときに、例えば略矩形の板状である。パネル１０の材料には、木材又は樹脂などを用いることができる。例えば、パネル１０の主面１０ａは、トイレルームＴＲの壁面Ｆ２と略平行に配置され、トイレ装置２００の側を向く。
【００３０】
リモコン４０は、パネル１０に設けられ、複数のボタンを有する。リモコン４０は、複数の洗浄ボタン４１と、複数の衛生洗浄装置用ボタン４２と、を有する。洗浄ボタン４１は、便器２０１の内側のボウル部を洗浄するためのボタンである。洗浄ボタン４１が押されると、便器２０１のボウル部に水が供給され、ボウル部内の排泄物等を排水管に流すことができる。衛生洗浄装置用ボタン４２は、衛生洗浄装置２０２が有する機能を操作するためのボタンである。使用者は、例えば、衛生洗浄装置用ボタン４２を操作することで、局部の洗浄や乾燥を行うことができる。
【００３１】
この例では、リモコン４０は発電式のリモコンである。リモコン４０は、圧電素子等を利用した発電機を内蔵しており、使用者がボタンを押す力により発電することができる。リモコン４０は、発電した電力を利用してトイレ装置２００と電波通信を行う。これにより、使用者はトイレ装置２００を操作することができる。
【００３２】
手すり２０は、パネル１０に設けられる。手すり２０は、使用者の便座２０３からの立ち上がり動作や、便座２０３への着座動作をサポートする。
【００３３】
なお、リモコン４０及び手すり２０は、パネル１０に直接固定されていなくてもよい。リモコン４０や手すり２０などの部材がパネル１０に設けられている状態とは、図２のようにパネル１０を正面からみたときに、当該部材がパネル１０の主面１０ａの範囲内に位置することをいう。つまり、リモコン４０や手すり２０は、正面からみたときにパネル１０の外周に囲まれた領域の内側に位置する。
【００３４】
カウンタ５０は、パネル１０の下方に設けられる。カウンタ５０は、例えば略矩形の板状であり、パネル１０の下端と接し、水平方向に延在する。カウンタ５０には、パネル１０と同様の材料を用いることができる。パネル１０とカウンタ５０とは、一体に成形されていてもよい。すなわち、パネル１０及びカウンタ５０として、Ｌ字状の部材を用いることもできる。
【００３５】
紙巻器５２は、カウンタ５０の下方に設けられる。紙巻器５２は、トイレットペーパー５３を回転可能に支持するペーパーホルダである。
【００３６】
図３は、実施形態に係るリモコンユニットを例示する分解斜視図である。  
図３に示すようにリモコンユニット１００は、さらに、フレーム３０と、リモコン固定材４３と、固定部材１０２と、を有する。
【００３７】
フレーム３０は、略矩形の枠材３１を有する。枠材３１の下部は、断面略Ｌ字状のブラケット３２となっている。ブラケット３２は、水平方向に延在する板部３２ａと、板部３２ａに対して垂直な板部３２ｂと、を有する。また、フレーム３０は、枠材３１の中央付近に設けられた柱材３３を有する。柱材３３は、上下方向に延在し、枠材３１の上部とブラケット３２とを接続する。また、フレーム３０は、枠材３１の上方の角に設けられた手すり固定材３４を有する。フレーム３０には、例えば、ステンレス鋼などの合金を用いることができる。また、ブラケット３２は必ずしも必要ではなく、カウンタ５０と一体的に枠材３１が形成されてもよい。
【００３８】
カウンタ５０は、板部３２ａの上に載置される。パネル１０は、フレーム３０のうちブラケット３２よりも上方の部分を覆うように取り付けられる。パネル１０は、リモコン４０に対応した開口１１、１２を有する。リモコン４０は、背面に板状のリモコン固定材４３が取り付けられた状態で、パネル１０の開口１１、１２に挿入される。そして、パネル１０とリモコン固定材４３とは、ネジなどの任意の手段で互いに固定される。また、リモコン４０は、パネル１０と平行に設置されるのではなく、衛生洗浄装置２０２を向くように設置されてもよい。
【００３９】
パネル１０は、手すり固定材３４の位置に対応した開口１３と、柱材３３の位置に対応した開口１４とを有する。手すり２０の一端は、開口１３を介して手すり固定材３４に固定され、手すり２０の他端は、開口１４を介して柱材３３に固定される。
【００４０】
このように、パネル１０、手すり２０、フレーム３０、リモコン４０、カウンタ５０及び紙巻器５２が組み立てられて、リモコンユニット１００の本体部１０１が形成される。
【００４１】
さらに、パネル１０の表面に柄や模様を入れることで、トイレルームＴＲの雰囲気を良くすることができる。また、柄や模様の違うパネル１０だけを取り替えることで、容易にトイレルームＴＲの雰囲気を変えることができる。
【００４２】
図４は、実施形態に係るリモコンユニットの固定部材を例示する斜視図である。  
図４に示すように、固定部材１０２は、屈曲した板状である。すなわち、固定部材１０２は、板部１０２ａと、板部１０２ａから連続する上部１０２ｂと、を有する。板部１０２ａには、複数の孔１０２ｅが設けられている。
【００４３】
図５（ａ）は、実施形態に係るリモコンユニットを例示する平面図である。  
図５（ａ）では、リモコンユニット１００の本体部１０１を背面（裏面）からみた様子を示す。  
図５（ｂ）は、図５（ａ）に示す領域Ａ１を拡大して表す斜視図である。  
図５（ａ）及び図５（ｂ）に示すように、本体部１０１は、枠材３１の上部に固定された係合部材３５を有する。係合部材３５は、枠材３１の上部に沿って延在し、枠材３１の側辺と柱材３３との間に位置する。係合部材３５は、両端にフック３５ｆを有する。係合部材３５を固定部材１０２に引っ掛ける際、フック３５ｆが固定部材の上部１０２ｂに沿って傾くことなく保持されるため、手を離して１人でリモコンユニット１００を壁面Ｆ２に固定する作業を行うことができる。
【００４４】
図６（ａ）及び図６（ｂ）は、実施形態に係るリモコンユニットの設置方法を例示する平面図である。  
まず、図６（ａ）に示すように、固定部材１０２の孔１０２ｅにねじ等を挿入して、固定部材１０２をトイレルームＴＲの壁面Ｆ２に固定する。このとき、トイレ装置２００の位置を基準として、固定部材１０２を固定する位置を定める。例えば、使用者の使い勝手を考慮して、固定部材１０２とトイレ装置の前端２０５との間の前後方向に沿った距離Ｌ１や、固定部材１０２とトイレ装置２００の前端２０５との間の上下方向に沿った距離Ｌ２が所定の距離となるように、固定部材１０２を固定する。なお、前端２０５は、例えば、便座上面の先端である。
【００４５】
その後、本体部１０１に設けられた係合部材３５のフック３５ｆを、固定部材１０２の上部１０２ｂに引っ掛ける。これにより、本体部１０１は、フレーム３０を介して固定部材１０２に支持され、本体部１０１の位置が定まる。固定部材１０２の長手方向の幅と、柱材３３から枠材３１の前方側の側面までの幅と、がほぼ同一であるため、リモコンユニット１００の位置は、固定部材１２０の長手方向の幅と、柱材３３から枠材３１の前方側の側面までの幅と、の間で規制される。また、固定部材１０２の長手方向の幅と、柱材３３から枠材３１の前方側の側面までの幅と、がほぼ同一であるため、リモコンユニット１００の前後方向へのズレも抑制される。
【００４６】
次に、図６（ｂ）に示すように、ブラケット３２の板部３２ｂに設けられた孔３２ｅにねじ等を挿入して、本体部１０１の下部を壁面Ｆ２に固定する。以上により、トイレルームＴＲの壁面Ｆ２の所定の位置に、リモコンユニット１００が設置される。
【００４７】
図７及び図８は、実施形態に係るリモコンユニットが設置されたトイレルームを例示する平面図である。  
図７及び図８に示す例は、多連ブースの場合である。すなわち、トイレルームＴＲ内に複数のトイレブースＴＢが連設され、各トイレブースＴＢの内部にトイレ装置２００及びリモコンユニット１００が設置される。互いに隣り合うトイレブースＴＢは、パーテーション壁ＰＷにより区切られている。
【００４８】
図７及び図８に示すように多連ブースの場合には、リモコンユニット１００を、壁面Ｆ２に設置する場合と同様の手順で、パーテーション壁ＰＷに設置することができる。  
図７に示す例では、２つのリモコンユニット１００は、パーテーション壁ＰＷを挟み込むように取り付けられる。すなわち、パーテーション壁ＰＷを介して、２つのリモコンユニット１００は、裏面が互いに対向するように設置されている。例えば、パーテーション壁ＰＷの中央を対称面として、２つのリモコンユニット１００の配置は、面対称である。
【００４９】
パーテーション壁ＰＷの強度は、壁面Ｆ２の強度に比べて低い場合がある。これに対して、図７のように２つのリモコンユニット１００を互いに同じ位置に取り付けることにより、対向するリモコンユニット１００をパーテーション壁ＰＷの補強とすることができる。
【００５０】
図８に示すように、リモコンユニット１００がパーテーション壁ＰＷを挟み込まない場合には、パーテーション壁に鉄板６１、６２等の補強を設けることで、強度を確保することができる。例えば、鉄板６１、６２は、リモコンユニット１００から見てパーテーション壁ＰＷの背面に設置される。鉄板６１、６２は、それぞれ、固定部材１０２の位置、ブラケット３２の位置に対応して配置される。
【００５１】
図７のように、リモコンユニット１００同士でパーテーション壁ＰＷを挟み込む、あるいは、図８のように、リモコンユニット１００と鉄板６１、６２とによって、パーテーション壁ＰＷを挟み込むような構成にすれば、予めの壁補強が不要となり、施工性が向上する。つまり、パーテーション壁ＰＷは比較的軽量で強度が低く、手すりなど荷重が掛かる器具を設置する場合は、壁内部に予め補強を施すのが一般的であるが、その補強が不要となる。
【００５２】
図９は、実施形態に係るリモコンユニットを例示する平面図である。  
図９は、トイレ装置２００、及び、トイレルームＴＲの壁面に取り付けられたリモコンユニット１００を、トイレ装置２００の側方から見た様子を示す。  
手すり２０は、第１把持部２１を有する。第１把持部２１は、図９のようにパネル１０の正面から見たときに、水平方向及び上下方向に対して傾斜している。より具体的には、図９の平面図において、第１把持部２１とトイレ装置２００との間の水平方向に沿った距離は、上方から下方に向かって短くなる。例えば、図９に示す距離Ｌ３は、距離Ｌ４よりも短い。なお、距離Ｌ３は、第１把持部２１の後端２１ｒと、トイレ装置の前端２０５と、の間の水平方向に沿った距離である。距離Ｌ４は、第１把持部２１の前端２１ｆと、トイレ装置の前端２０５と、の間の水平方向に沿った距離である。
【００５３】
また、トイレ装置２００の側方から見たときに、第１把持部２１が延在する方向と、水平方向と、の間の角度θ１は、例えば４５°程度である。
【００５４】
図１０は、実施形態に係るリモコンユニットを例示する平面図である。  
図１０は、トイレ装置２００、及び、トイレルームＴＲの壁面に取り付けられたリモコンユニット１００を、トイレ装置２００の前方から見た様子を示す。
【００５５】
第１把持部２１は、図１０のようにトイレ装置２００の前方から見たときに、水平方向及び上下方向に対して傾斜している。より具体的には、図１０の平面図において、第１把持部２１とトイレ装置２００との間の水平方向に沿った距離は、上方から下方へ向かって長くなる。例えば、図１０に示す距離Ｌ５は、距離Ｌ６よりも長い。なお、距離Ｌ５は、第１把持部２１の後端２１ｒ（下端）と、トイレ装置の前端２０５と、の間の水平方向に沿った距離である。距離Ｌ６は、第１把持部２１の前端２１ｆ（上端）と、トイレ装置の前端２０５と、の間の水平方向に沿った距離である。
【００５６】
また、トイレ装置２００の前方から見たときに、第１把持部２１が延在する方向と、上下方向との間の角度θ２は、例えば１５°程度である。
【００５７】
このように、手すり２０は、図９に関して説明した角度θ１と、図１０に関して説明した角度θ２と、の２つの傾斜角を有する。これにより、例えば傾斜せず上下方向に延在するような手すりに比べて、着座した使用者が無理なく自然体で握れる範囲が広い。着座した使用者は、第１把持部２１の前方部を握っても、第１把持部２１の後方部を握っても、手首の角度を握りやすい角度とすることができる。使用者の体格によって、握りやすいポイントは変化するが、使用者は、体格に依存せず、握りやすい角度（例えば一定の握り角度）で、無理なく手すり２０を掴むことができる。
【００５８】
図１１（ａ）〜図１１（ｆ）は、実施形態に係る手すりの使用状況を例示する斜視図である。これらはトイレ装置２００の前方からリモコンユニット１００を見た様子を示す。  図１１（ａ）は、使用者Ｕが第１把持部２１の後方部を掴んで立ち上がる様子を示す。図１１（ｂ）は、使用者Ｕが第１把持部２１の前方部を掴んで立ち上がる様子を示す。このように、使用者Ｕは、第１把持部２１のどこを掴んでも、手すり２０に体重をかけて立ち上がることができる。また、前述の２つの傾斜角を設けることにより、使用者Ｕは、立ち上がり動作の始めから最後まで、体重を手すり２０にかけ続けることができる。
【００５９】
手すり２０は、さらに第２把持部２２を有する。第２把持部２２は、第１把持部２１の上方に接続され、パネル１０（主面１０ａ）に対して略垂直な方向に延在する。図１１（ｃ）は、使用者Ｕが第２把持部２２を掴んで立ち上がる様子を示す。
【００６０】
また、使用者は、立ち上がり動作において、手すり２０だけでなく、図１１（ｄ）に示すようにカウンタ５０を利用することもできる。  
例えば、前述した図２に示すように、カウンタ５０は、手すり２０の下方に位置する前方部５０ｆと、リモコン４０の下方に位置する後方部５０ｒとを有する。後方部５０ｒは、第１把持部２１の延長上から後方に向かって設けられているため、使用者Ｕは、カウンタ５０の後方部５０ｒに手をついて、立ち上がり動作を補助することができる。また、このときに、前方部５０ｆには手荷物などを載せておくことができる。
【００６１】
図１１（ｅ）及び図１１（ｆ）は、トイレルームＴＲに入室してきた使用者Ｕが、トイレ装置２００に近づく様子を示す。例えば、使用者Ｕは、トイレルームＴＲに入室後、図１１（ｅ）のように第２把持部２２を掴み、体を支える。そして、図１１（ｆ）のように体を反転させて、第１把持部２１等を掴む。その後、使用者Ｕは、第１把持部２１等に体重をかけながら、着座することができる。このように使用者Ｕは、着座動作においても、始めから最後まで、体重を手すり２０にかけ続けることができる。  
以上説明したように、２つの傾斜角を有する手すり２０をトイレルームＴＲの壁面に設けることで、使用者の使い勝手を向上させることができる。
【００６２】
トイレルームの壁面には、手すり、リモコン、紙巻器、及びカウンタなどの多数の部材が取り付けられるが、これらの多数の部材には、それぞれ、適切な位置や形状がある。例えば、上述の２つの傾斜角を有する手すり２０の場合、トイレ装置の前端２０５と第１把持部２１の中心との前後方向に沿った距離Ｌ１０（図９参照）は２５０ｍｍ程度、トイレ装置の前端２０５と第２把持部２２との上下方向に沿った距離Ｌ１１（図９参照）は５５０ｍｍ程度、トイレ装置の前端２０５と第１把持部２１の中心との左右方向に沿った距離Ｌ１２（図１０参照）は３５０ｍｍ程度が望ましい。トイレ装置２００に対して不適切な位置に、手すり２０を取り付けてしまうと、手すり２０を十分に利用できない場合がある。また、図９に示したように、トイレ装置の前端２０５と洗浄ボタン４１との前後方向の距離Ｌ７や、トイレ装置の前端２０５から測った洗浄ボタン４１の高さ（距離Ｌ８）や、トイレ装置の前端２０５から測った紙巻器５２の高さ（距離Ｌ９）などについては、使用者の使い勝手を考慮して、望ましい範囲が定められている。例えば、距離Ｌ７は、０ｍｍ以上１００ｍｍ以下であり、距離Ｌ８は、４００ｍｍ以上５５０ｍｍ以下であり、距離Ｌ９は、１５０ｍｍ以上４００ｍｍ以下である。
【００６３】
しかし、手すり、リモコン、紙巻器及びカウンタを、それぞれ別々に適切な位置に設置することは、現場の施工者にとって、大きな手間となる。また、手すり、リモコン、紙巻器及びカウンタを別々に設置しようとすると、いずれかが不適切な位置に取り付けられてしまうおそれがある。
【００６４】
これに対して、実施形態においては、パネル１０及びフレーム３０により、手すり２０、リモコン４０、紙巻器５２及びカウンタ５０は、本体部１０１に設けられている。本体部１０１内において、手すり２０、リモコン４０、紙巻器５２及びカウンタ５０の相対的な位置は、規定されている。このため、現場の施工者は、固定部材１０２を壁面に固定すれば、本体部１０１を固定部材１０２に取り付けるだけで、手すり２０、リモコン４０、紙巻器５２及びカウンタ５０を、使いやすい位置に簡単に設置することができる。
【００６５】
本体部１０１を直接、壁面に設置する方法も考えられるが、この場合には、本体部１０１が比較的大きいため、施工性が低下することとなる。これに対して、実施形態においては、固定部材１０２は比較的小さいため、位置決めが容易であり、一度の位置決めにより本体部１０１の位置を定めることができる。また、固定部材１０２は、本体部１０１に覆われ、外部から見えないので、美観を向上させることができる。
【００６６】
また、手すり２０、リモコン４０、紙巻器５２及びカウンタ５０を１つのリモコンユニット１００として設けることにより、見た目の統一感を向上させることができる。また、パネル１０を用いることにより、リモコンユニット１００の表面の凹凸を少なくすることができ、美観や清掃性を向上させることができる。
【００６７】
また、上述したようにリモコン４０を発電式のリモコンとしたことで、電池式のリモコンと比べて、リモコンユニット１００を壁面Ｆ２に取り付けた後に、電池交換にて再度取り外さなくてよい。また、外部電源を必要とするリモコンは、電池交換は無いが、電源確保のための余分な工事が発生し、施工が煩雑となる。
【００６８】
図１２（ａ）〜図１２（ｃ）は、実施形態に係るリモコンユニットの一部を例示する平面図である。  
図１２（ａ）では、本体部１０１を背面（裏面）から見た様子を示す。図１２（ｂ）は、図１２（ａ）に示す領域Ａ２を拡大して表す平面図である。図１２（ｃ）は、図１２（ａ）に示す領域Ａ３を拡大して表す平面図である。
【００６９】
図１２（ａ）〜図１２（ｃ）に示したように、平面視において、パネル１０は、フレーム３０（枠材３１）よりも大きい。具体的には、パネル１０は、フレーム３０（枠材３１）の外周よりも外側に延出する延出部（延出部１０ｐ、１０ｑ及び１０ｒ）を有する。延出部１０ｐは、枠材３１よりも上方に延びた部分である。延出部１０ｑ、１０ｒは、それぞれ、枠材３１よりも水平方向に延びた部分である。
【００７０】
このようにパネル１０をフレーム３０よりも大きくすることにより、延出部（１０ｐ、１０ｑ、１０ｒ）によって、フレーム３０とトイレルームＴＲの壁面とが接する部分を正面から見えにくくすることができる。これにより、パネル１０が壁面から浮いたように設けられ、すっきりとした外観を得ることができる。また、仮に、壁面への固定部材１０２の取り付けを施工者がやり直した場合、壁面には最初に固定部材１０２を取り付けた位置に、ねじ等の穴が残ってしまう。このような場合でも、ねじ等の穴を延出部が覆うようにすることで、ねじ等の穴を正面から見えにくくすることができ、美観が損なわれない。また、空間演出のための器具（例えばＬＥＤ照明）を延出部（１０ｐ、１０ｑ、１０ｒ）に設けてもよい。
【００７１】
図１３（ａ）及び図１３（ｂ）は、実施形態に係るリモコンユニットの手すりを例示する平面図である。  
図１３（ａ）は、手すり２０を上方から見た場合の平面図である。図１３（ｂ）は、手すり２０を側方から見た場合の平面図である。また、図１３（ａ）では、パネル１０を二点鎖線で示し、手すり２０がパネル１０に設けられた状態を示す。
【００７２】
図１３（ａ）及び図１３（ｂ）に示すように、手すり２０の両端には、２つの接続部２５（第１接続部２５ａ、第２接続部２５ｂ）が設けられている。この例では、手すり２０の両端は、パネル１０に設けられている。つまり、２つの接続部２５は、それぞれ、パネル１０に接続されている。なお、接続部２５は、パネル１０に直接固定されなくてもよい。具体的には、手すり２０はパネル１０に直接固定せず、接続部２５の第１部分２３を延長させ、手すり固定材３４と柱材３３に第１部分２３とを当接させ固定されるものであってもよい。
【００７３】
手すり２０の両端を、カウンタ５０よりも上方のパネル１０に設けることにより、手すり２０の端部をカウンタ５０に設けた場合に比べて、カウンタ５０を広く使用することができる。また、カウンタ５０上を清掃しやすい。
【００７４】
接続部２５は、手すり２０の最も端に位置する第１部分２３と、第１部分２３から連続した第２部分２４とを有する。パネル１０の主面１０ａと平行な断面において、第１部分２３の径Ｄ２３は、第２部分２４の径Ｄ２４よりも短い。第１部分２３の径Ｄ２３は、図３に関して前述したパネル１０の開口１３の径よりも短い。第２部分２４の径Ｄ２４は、パネル１０の開口１３の径よりも長い。すなわち、図１３（ａ）のようにパネル１０に手すり２０が設けられた状態において、第１部分２３は、パネル１０の開口１３に挿入された部分であり、第２部分２４は、パネル１０の主面１０ａに当接する部分である。
【００７５】
従来、手すりと壁面等との接続部分には、接続部分を覆い隠すためのキャップ等が設けられていた。これに対して、実施形態においては、接続部２５のうちパネル１０と接する部分（第２部分２４）が露出しており、キャップ等が設けられない。これにより、すっきりとした外観を得ることができる。また、キャップ等を設けないことにより、パネル１０上の凹凸を少なくすることができ、清掃性が向上する。また、手すり２０を接続するためのスペースを小さくできる。
【００７６】
なお、手すり２０には、例えば、塩化ビニルなどの樹脂で覆われたステンレス鋼などのパイプを用いることができる。例えば、第１部分２３は、樹脂によって被覆されずに露出したパイプの一部であり、第２部分２４は、パイプを覆う樹脂の一部である。
【００７７】
図１４（ａ）〜図１４（ｄ）は、実施形態に係るリモコンユニットを例示する断面図である。  
図１４（ａ）は、図２に示すＳ１−Ｓ１線における断面を示し、図１４（ｂ）は、図２に示すＳ２−Ｓ２線における断面を示す。
【００７８】
図３に関して前述したとおり、リモコン４０は、パネル１０に設けられた開口１１、１２に挿入される。このとき、リモコン４０は、図１４（ａ）及び図１４（ｂ）に示すように、パネル１０と接する側面４０ａ〜４０ｆを有する。
【００７９】
図１４（ｃ）は、図１４（ａ）に示した側面４０ａの近傍を拡大して示す断面図である。図１４（ｃ）に示すように、側面４０ａは、テーパ形状を有する。すなわち、側面４０ａは、図１４（ｃ）に示す方向Ｄ１０に向かって、リモコン４０の幅が狭くなるような傾きを有する。なお、方向Ｄ１０は、リモコン固定材４３が取り付けられる背面側から、ボタンが設けられた正面側に向かう方向である。パネル１０の主面１０ａは、方向Ｄ１０に対して略垂直である。方向Ｄ１０と側面４０ａとの間の角度は、例えば、１°〜２°程度である。
【００８０】
図１４（ｄ）は、図１４（ｂ）に示した側面４０ｅの近傍を拡大して示す断面図である。側面４０ｅも、側面４０ａと同様に、テーパ形状を有する。すなわち、側面４０ａは、方向Ｄ１０に向かって、リモコン４０の幅が狭くなるような傾きを有する。また、図示を省略するが、側面４０ｂ〜４０ｄ、４０ｆも同様のテーパ形状を有する。
【００８１】
開口１１及び開口１２のそれぞれは、主面１０ａに対して垂直方向に設けられた孔である。これに対して、側面４０ａ〜４０ｆは、方向Ｄ１０に対して傾斜している。このため、リモコン４０を開口１１、１２に挿入した際に、側面４０ａ〜４０ｆのそれぞれとパネル１０とが当接し、リモコン４０の位置が定められる。これにより、リモコン４０とパネル１０との間に隙間が生じることを抑制できる。また、リモコン４０のボタンが正面側に飛び出し過ぎることを抑制できる。
【００８２】
図１４（ａ）に破線で表したように、リモコン固定材４３に当接部４３ｅを設けてもよい。リモコン固定材４３が取り付けられたリモコン４０を開口１１、１２に押し込むと、当接部４３ｅは、パネル１０に当接する。これにより、リモコン４０が開口１１、１２に押し込まれ過ぎることを防ぐことができる。
【００８３】
図１５及び図１６は、実施形態に係る別のリモコンユニットを例示する平面図である。図１５は、実施形態に係るリモコンユニット１００ａを、トイレ装置２００の側方から見た様子を示す。図１６は、リモコンユニット１００ａを、トイレ装置２００の前方から見た様子を示す。  
図１５及び図１６に示したリモコンユニット１００ａは、手すりの形状及び接続位置において、図１〜図１４に関して説明したリモコンユニット１００と異なる。これ以外については、リモコンユニット１００ａは、リモコンユニット１００と同様である。
【００８４】
この例では、手すり２０の一端は、パネル１０に接続されており、手すり２０の他端は、カウンタ５０に接続されている。また、手すり２０の第１把持部２１は、曲線状である。具体的には、第１把持部２１は、上方部２１ａと、下方部２１ｂと、を有する。上方部２１ａは、略直線状に延在する。下方部２１ｂは、上方部２１ａから滑らかに連続し、平面視において曲線状である。
【００８５】
図１５の平面図において、上方部２１ａは、下方部２１ｂよりも上下方向（鉛直方向）に対して傾斜している。また、図１６の平面図においても、上方部２１ａは、下方部２１ｂよりも上下方向に対して傾斜している。このように、第１把持部２１に曲線状の部分を設けることで、使用者は、第１把持部２１のうち、より手になじむ部分を掴むことができる。
【００８６】
リモコンユニットの手すりは、この形状をベースとしてさらに別形態の把持部を追加できる構造であってもよい。例えば、手すり上端部に鉛直方向に延出した把持部を有する。また、例えば手すりの下端部に水平方向に延出した把持部を有する構造であってもよい。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、フレーム、パネル、リモコン、手すり、カウンタ、紙巻器および固定部材などが備える各要素の形状、寸法、材質、配置、設置形態などは、例示したものに限定されるわけではなく適宜変更することができる。例えば、リモコンユニットにさらに空間演出用の器具（ＬＥＤ等）や芳香剤・呼び出しボタン・杖かけ・デジタルサイネージを有するものであってもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１０ パネル、  １０ａ 主面、  １０ｐ、１０ｑ、１０ｒ 延出部、  １１〜１４ 開口、  ２１ 第１把持部、  ２１ａ 上方部、  ２１ｂ 下方部、  ２１ｆ 前端、  ２１ｒ 後端、  ２２ 第２把持部、  ２３ 第１部分、  ２４ 第２部分、  ２５ 接続部、  ２５ａ 第１接続部、  ２５ｂ 第２接続部、  ３０ フレーム、  ３１ 枠材、  ３２ ブラケット、  ３２ａ 板部、  ３２ｂ 板部、  ３２ｅ 孔、  ３３ 柱材、  ３４ 手すり固定材、  ３５ 係合部材、  ３５ｆ フック、  ４０ リモコン、  ４０ａ〜４０ｆ 側面、  ４１ 洗浄ボタン、  ４２ 衛生洗浄装置用ボタン、  ４３ リモコン固定材、  ４３ｅ 当接部、  ５０ カウンタ、  ５０ｆ 前方部、  ５０ｒ 後方部、  ５２ 紙巻器、  ５３ トイレットペーパー、  ６１、６２ 鉄板、  １００、１００ａ リモコンユニット、  １０１ 本体部、  １０２ 固定部材、  １０２ａ 板部、  １０２ｂ 上部、  １０２ｅ 孔、  ２００ トイレ装置、  ２０１ 便器、  ２０２ 衛生洗浄装置、  ２０３ 便座、  ２０５ 前端、  ＰＷ パーテーション壁、  ＴＢ トイレブース、  ＴＲ トイレルーム、  Ｕ 使用者
【図１】
2018071141.tif 000003
【図２】
2018071141.tif 000004
【図３】
2018071141.tif 000005
【図４】
2018071141.tif 000006
【図５】
2018071141.tif 000007
【図６】
2018071141.tif 000008
【図７】
2018071141.tif 000009
【図８】
2018071141.tif 000010
【図９】
2018071141.tif 000011
【図１０】
2018071141.tif 000012
【図１１】
2018071141.tif 000013
【図１２】
2018071141.tif 000014
【図１３】
2018071141.tif 000015
【図１４】
2018071141.tif 000016
【図１５】
2018071141.tif 000017
【図１６】
2018071141.tif 000018